(57)【特許請求の範囲】
【請求項１】
複数のシンボルを整列状態で表示させるためのシンボル表示窓と、前記シンボル表示窓の窓枠内に複数種のシンボルを可変表示するための複数のシンボル表示体と、前記シンボルの整列方向に沿って前記複数のシンボル表示体を往復動させる送り機構と、前記送り機構の動作を制御する制御部とを備えて成り、前記シンボル表示体は、シンボル表示窓の背後に一端のシンボル表示体が窓枠外に位置する状態で配置され、前記制御部は、ゲームの開始後に所定の条件が満たされたとき、全てのシンボル表示体を整列方向に移動させて窓枠内の他端のシンボル表示体を窓枠外へ移動させかつ窓枠外の前記シンボル表示体を窓枠内に出現させるようにした遊戯機のシンボル表示装置。
【請求項２】
複数のシンボル表示体は、外周面に複数種のシンボルが表された複数のリールである請求項１に記載された遊戯機のシンボル表示装置。
【請求項３】
複数のシンボル表示体は、外周面に複数種のシンボルが表された４個のリールであり、前記シンボル表示窓は、各リールの１個のシンボルをそれぞれ表示させる３個のシンボル表示窓により構成されており、両端のリールの一方が窓枠外に移動し他方が窓枠内に出現するように各リールをリールの並び方向へ移動させるようにした請求項１に記載された遊戯機のシンボル表示装置。
【請求項４】
複数のシンボル表示体は、外周面に複数種のシンボルが表された４個のリールであり、前記シンボル表示窓は、３個のリールについて３個のシンボルを出現し得る大きさに形成された１個のシンボル表示窓により構成されており、両端のリールの一方が窓枠外へ移動し他方が窓枠内に出現するように各リールをリールの並び方向に移動させるようにした請求項１に記載された遊戯機のシンボル表示装置。
【請求項５】
複数のシンボル表示体は、複数種のシンボルを電気的に可変表示することが可能な複数のシンボル表示板である請求項１に記載された遊戯機のシンボル表示装置。
【請求項６】
複数のシンボル表示体は、複数種のシンボルを電気的に可変表示することが可能な１個のシンボル表示板により構成されている請求項１に記載された遊戯機のシンボル表示装置。
【請求項７】
複数のシンボル表示体は、前記シンボル表示窓の背後に配備された表示板上の所定位置に表示されるシンボル可変表示器の画像によりそれぞれ構成されている請求項１に記載された遊戯機のシンボル表示装置。
【請求項８】
複数のシンボル表示体は、一体に往復動するように構成されている請求項１〜５のいずれかに記載された遊戯機のシンボル表示装置。
【請求項９】
複数のシンボル表示体は、個別に往復動するように構成されている請求項１，２，３，５のいずれかに記載された遊戯機のシンボル表示装置。
【請求項１０】
複数のシンボルを整列状態で表示させるための３個のシンボル表示窓と、各シンボル表示窓の窓枠内に複数種のシンボルを可変表示するための２個のリールを有するリールユニットおよび各リールの内部空間に固定配置されたシンボル表示ユニットと、前記シンボルの整列方向に沿って前記２個のリールを往復動させる送り機構と、前記送り機構の動作を制御する制御部とを備えて成り、前記２個のリールは、各リールのそれぞれ１個のシンボルとシンボル表示ユニットの一端に表示された１個のシンボルとが３個のシンボル表示窓に出現する状態で配置され、前記制御部は、ゲームの開始後に所定の条件が満たされたとき、２個のリールを整列方向に移動させて各リールのそれぞれ１個のシンボルとシンボル表示ユニットの他端に表示された１個のシンボルとを３個のシンボル表示窓に出現させるようにした遊戯機のシンボル表示装置。
【請求項１１】
複数のシンボルを整列状態で表示させるための３個のシンボル表示窓と、各シンボル表示窓の窓枠内に複数種のシンボルを可変表示するための３個のリールを有する固定配置されたリールユニットおよび各リールの前方に配備された２個のシンボル表示板より成るシンボル表示ユニットと、前記シンボルの整列方向に沿って前記２個のシンボル表示板を往復動させる送り機構と、前記送り機構の動作を制御する制御部とを備えて成り、前記シンボル表示ユニットは、一端側の２個のリールのそれぞれ１個のシンボルとシンボル表示ユニットの一方のシンボル表示板に表示された１個のシンボルとが３個のシンボル表示窓に出現する状態で配置され、前記制御部は、ゲームの開始後に所定の条件が満たされたとき、前記シンボル表示ユニットを整列方向に移動させて他端側の２個のリールのそれぞれ１個のシンボルとシンボル表示ユニットの他方のシンボル表示板に表示された１個のシンボルとを３個のシンボル表示窓に出現させるようにした遊戯機のシンボル表示装置。
【発明の詳細な説明】
【０００１】
【産業上の利用分野】
この発明は、パチンコ機やスロットマシンなどの遊戯機に適用される技術であって、特にこの発明は、この種遊戯機に組み込まれるシンボル表示装置に関連する。
【０００２】
【従来の技術】
例えばパチンコ機では、一般に、ボックス形状をなす本体部の前面開口部に扉が開閉可能に取り付けてあり、扉の前面には遊戯盤，操作ハンドル，玉受け皿などが配備され、本体部内部には入賞玉の排出通路や回路基板などが組み込まれている。また遊戯盤の中央部にはシンボル表示窓が配備されており、このシンボル表示窓と、本体部内部に組み込まれた可変表示器とにより、複数種のシンボルを可変表示するためのシンボル表示装置が構成される。
【０００３】
図２０は、前記シンボル表示装置の構成例を示すもので、遊戯盤面１０８の所定位置を開口し、この開口位置に複数個（図示例では３個）のシンボル表示窓１０２を有する前面パネル１０１を配備するとともに、この前面パネル１０１の内側に前記シンボル表示窓１０２の数と同数のリール１０４を具備するリールユニット１０５が配備されている。
【０００４】
前記リールユニット１０５は、図示しないフレーム内にリール毎のステッピングモータ１０３を固定した後、各リール１０４をそれぞれのステッピングモータ１０３に連結して構成されるもので、各リール１０４を前記シンボル表示窓１０２に対応するように位置合わせすることにより、各シンボル表示窓１０２を介して各リール１０４のシンボル１０６が視認できる。
【０００５】
しかしながらこの種の機械的なリールによるシンボル表示装置では、単に各リールの回転により各シンボル表示窓１０２の枠内でシンボルが可変表示されるだけであり、表現力に乏しいという問題がある。
【０００６】
そこで近年では、遊戯盤面の開口部に液晶などの表示板を嵌め込んだタイプのシンボル表示装置を具備する機種が多数出現している。この種のシンボル表示装置によれば、制御部に動画プログラムを組み込むことにより、擬似的なリールの動きのみならず、種々のキャラクターの動画像を表示することが可能であり、ゲーム展開の興趣を高めるのに有効である。
【０００７】
【発明が解決しようとする課題】
しかしながら上記の動画表示は、あくまでも表示板上での擬似的な表現に限定されるものであって、リールなどのシンボル表示体がシンボル表示窓の枠を越えて移動するようなイメージを表示する制御はなされていない。
【０００８】
この発明は上記問題点に着目してなされたもので、シンボル表示窓の背後に整列配備させた複数のシンボル表示体を、その整列方向に沿って往復動させることにより、これまでの遊戯機にない多様なシンボル表示を実現し得るシンボル表示装置を提供することを技術課題とする。
【０００９】
【課題を解決するための手段】
請求項１の発明にかかる遊戯機のシンボル表示装置は、複数のシンボルを整列状態で表示させるためのシンボル表示窓と、前記シンボル表示窓の窓枠内に複数種のシンボルを可変表示するための複数のシンボル表示体と、前記シンボルの整列方向に沿って前記複数のシンボル表示体を往復動させる送り機構と、前記送り機構の動作を制御する制御部とを備えて成る。前記シンボル表示体は、シンボル表示窓の背後に一端のシンボル表示体が窓枠外に位置する状態で配置される。前記制御部は、ゲームの開始後に所定の条件が満たされたとき、全てのシンボル表示体を整列方向に移動させて窓枠内の他端のシンボル表示体を窓枠外へ移動させかつ窓枠外の前記シンボル表示体を窓枠内に出現させるようにしている。
【００１０】
請求項２の発明では、複数のシンボル表示体は、外周面に複数種のシンボルが表された複数のリールであり、特に、請求項３，４の発明では、複数のシンボル表示体は４個のリールをもって構成されている。
そして、請求項３の発明においては、前記シンボル表示窓は、各リールの１個のシンボルをそれぞれ表示させる３個のシンボル表示窓により構成されており、両端のリールの一方が窓枠外に移動し他方が窓枠内に出現するように各リールをリールの並び方向へ移動させるようにしている。
また、請求項４の発明においては、前記シンボル表示窓は、３個のリールについて３個のシンボルを出現し得る大きさに形成された１個のシンボル表示窓により構成されており、両端のリールの一方が窓枠外へ移動し他方が窓枠内に出現するように各リールをリールの並び方向に移動させるようにしている。
【００１１】
請求項５，６の発明では、複数のシンボル表示体は、複数種のシンボルを電気的に可変表示することが可能な複数または１個の表示板により構成されている。
【００１２】
請求項７の発明では、複数のシンボル表示体は、前記シンボル表示窓の背後に配備された表示板上の所定位置に表示されるシンボル可変表示器の画像によりそれぞれ構成されている。
【００１３】
請求項８，９の発明では、複数のシンボル表示体は、一体または個別に往復動するように構成されている。
【００１４】
請求項１０，１１の発明では、複数のシンボル表示体は、リールユニットとシンボル表示ユニットとを組み合わせて構成されたもので、請求項１０の発明によるシンボル表示装置は、複数のシンボルを整列状態で表示させるための３個のシンボル表示窓と、各シンボル表示窓の窓枠内に複数種のシンボルを可変表示するための２個のリールを有するリールユニットおよび各リールの内部空間に固定配置されたシンボル表示ユニットと、前記シンボルの整列方向に沿って前記２個のリールを往復動させる送り機構と、前記送り機構の動作を制御する制御部とを備えている。前記２個のリールは、各リールのそれぞれ１個のシンボルとシンボル表示ユニットの一端に表示された１個のシンボルとが３個のシンボル表示窓に出現する状態で配置され、前記制御部は、ゲームの開始後に所定の条件が満たされたとき、２個のリールを整列方向に移動させて各リールのそれぞれ１個のシンボルとシンボル表示ユニットの他端に表示された１個のシンボルとを３個のシンボル表示窓に出現させるようにしている。
一方、請求項１１の発明によるシンボル表示装置は、複数のシンボルを整列状態で表示させるための３個のシンボル表示窓と、各シンボル表示窓の窓枠内に複数種のシンボルを可変表示するための３個のリールを有する固定配置されたリールユニットおよび各リールの前方に配備された２個のシンボル表示板より成るシンボル表示ユニットと、前記シンボルの整列方向に沿って前記２個のシンボル表示板を往復動させる送り機構と、前記送り機構の動作を制御する制御部とを備えている。前記シンボル表示ユニットは、一端側の２個のリールのそれぞれ１個のシンボルとシンボル表示ユニットの一方のシンボル表示板に表示された１個のシンボルとが３個のシンボル表示窓に出現する状態で配置され、前記制御部は、ゲームの開始後に所定の条件が満たされたとき、前記シンボル表示ユニットを整列方向に移動させて他端側の２個のリールのそれぞれ１個のシンボルとシンボル表示ユニットの他方のシンボル表示板に表示された１個のシンボルとを３個のシンボル表示窓に出現させるようにしている。
【００１６】
【作用】
複数のシンボル表示体を、その整列方向に沿って往復動させることにより、各種シンボルを、そのシンボルの並び方向のみならず、その並び方向に直交する方向にも往復動させることができる。これにより窓枠内に出現していたシンボルが枠外に移動し、表示されていなかったシンボルが枠内に移動するもので、多様なシンボル表示を行うことが可能となる。
【００１７】
請求項２〜４の発明では、各シンボル表示体をリールにより構成するので、各リールの回転と往復動とを組み合わせて、多様なシンボル表示を行うことができる。
【００１８】
請求項５，６の発明では、各シンボル表示体をシンボルを可変表示するシンボル表示板により構成するので、シンボル表示体の前後のスペースを小さくして装置をコンパクト化できる上、シンボルを高速で可変表示することができる。
【００１９】
請求項７の発明では、各シンボル表示体を、前記シンボル表示窓の背後に配備された表示板上に表示されるシンボル可変表示器の画像により構成するので、表示するシンボルの種類やシンボル可変表示器の位置，大きさなどの自由度が大きくなる。
【００２０】
請求項８の発明では、複数のシンボル表示体が一体に往復動するので、往復動のための機構や制御を簡易化でき、一方、請求項９の発明では、複数のシンボル表示体を個別に往復動させるので、シンボルの組合せを段階的に変動させることが可能となる。
【００２１】
請求項１０，１１の発明では、リールユニットとシンボル表示ユニットとを組み合わせて複数のシンボル表示体を構成するので、シンボル表示に対する遊戯者の関心が大いに高められる。
【００２３】
【実施例】
図１は、この発明にかかる遊戯機のシンボル表示装置が適用されたパチンコ機の外観を示す。なおこの発明のシンボル表示装置は、パチンコ機に限らず、スロットマシンなど、シンボルの可変表示を組み込んだ他の遊戯機にも適用できることは勿論である。
【００２４】
図示例のパチンコ機は、ボックス形状をなす本体部１Ａの前面開口に扉２を開閉可能に取り付けて機体１が構成される。前記扉２の前面には、遊戯盤２ａ，操作ハンドル３，パチンコ玉払出口５５，余剰玉放出口５６，受け皿５７ａ，５７ｂなどが設けられている。
【００２５】
前記遊戯盤２ａには、発射玉を盤面に導くための玉通路７が設けられ、盤面には複数の障害釘（図示せず）や役物８などがそれぞれ所定の位置に配備されている。また盤面の中央部は開口されており、この開口部に、３個のシンボル表示窓５を有する前面パネル６が取り付けられてシンボル表示部６Ａが構成される。このシンボル表示部６Ａの下方にはパチンコ玉通過孔９が、さらにその下方には特別入賞口５８が、さらに盤面の底部にはアウト玉取込み口５９が、それぞれ配備されている。なおこの遊戯盤全体は、強化ガラスなどの透明カバー体により保護されている。
【００２６】
前記本体部１Ａの内部には、図２〜７に示すようなリールユニット５０が前記シンボル表示部６Ａの形成位置に対応させて配備されている。このリールユニット５０は前面および両側面が開放された枠体２１の内部に４個のリール１０を縦向きかつ並列して組み込んだもので、前記枠体２１の内部には、各リール１０を個別に回転可能に支持するリール支持機構３０や、各リール１０を個別に回転駆動するための４個のモータ４０が設置されている。
【００２７】
前記枠体２１は、図５および図６に示すように、ベース２２と、ベース２２の上方に対向位置する可動フレーム２３とから成る。前記ベース２２は後端に支持部２２ａを、また前記可動フレーム２３は後端に連結部２３ａを、それぞれ備えており、前記支持部２２ａの上端縁と連結部２３ａの下端縁とを蝶番２４で枢支連結することにより、ベース２２上に可動フレーム２３を開閉可能となす。これによりリール１０の取付けや交換時には、可動フレーム２３を開放して作業が行われる。
【００２８】
各リール１０は、合成樹脂成形体であり、図３および図７に示すように、円環状をなす左右一対の側板部１１，１１を備える。各側板部１１，１１は、その外周部間を複数の軸材１２で連結して環状部１３が形成されており、環状部１３上に、多数のシンボル１５が表された帯状のテープ１４を貼付してシンボル表示部１５Ａが形成される。各側板部１１には、シンボル表示部１５Ａと同心円状の筒壁１６がそれぞれ外向きに一体形成され、各筒壁１６の外周面に歯を刻設することにより、歯車部１７ａ，１７ｂが形成される。
【００２９】
前記リール支持機構３０は、前記リール１０の各歯車部１７ａ，１７ｂとそれぞれ噛み合って各歯車部１７ａ，１７ｂを上下で支持する複数個の歯車により構成される。
【００３０】
一方の歯車部１７ａには、図５に示すように、１個の駆動歯車３１ａと３個の従動歯車３２ａ，３３ａ，３４ａとが噛み合っており、このうち駆動歯車３１ａおよび従動歯車３２ａはベース２２の上面の同じ高さ位置に、また残りの従動歯車３３ａ，３４ａは可動フレーム２３の下面の同じ高さ位置に、それぞれ設けられる。
【００３１】
他方の歯車部１７ｂにも、図６に示すように、１個の駆動歯車３１ｂと３個の従動歯車３２ｂ，３３ｂ，３４ｂとが噛み合っており、このうち駆動歯車３１ｂおよび従動歯車３２ｂはベース２２の上面の同じ高さ位置であって前記駆動歯車３１ａおよび従動歯車３２ａと同じ角度位置に、また残りの従動歯車３３ｂ，３４ｂは可動フレーム３の下面の同じ高さ位置であって前記従動歯車３３ａ，３４ａと同じ角度位置に、それぞれ設けられる。
【００３２】
これら歯車のうち、４個のリール１０についてベース２２上の同じ角度位置にある合計８個の従動歯車、すなわち各従動歯車３２ａと各従動歯車３２ｂとは第１の支え軸３５上に回転自由に支持される。同様に８個の各従動歯車３３ａと各従動歯車３３ｂとは第２の支え軸３６上に、８個の各従動歯車３４ａと各従動歯車３４ｂとは第３の支え軸３７上に、それぞれ回転自由に支持される。
【００３３】
第１の支え軸３５は、ベース２の両端部上面に設けられた軸支部３８，３８に両端がそれぞれ支持され、第２，第３の各支え軸３６，３７は、可動フレーム２３の両端部下面に設けられた軸支部３９，３９により両端がそれぞれ支持される。
【００３４】
前記ベース２２の上面には、各リール１０の設置位置に合わせてモータ４０がそれぞれ固定されており、各モータ４０のモータ軸４１に、各リール１０の前記駆動歯車３１ａ，３１ｂが軸支される。なおこれらモータ４０には、従来のリールユニットと同様のステッピングモータを用いることもできるが、これに限らず、直流モータ，交流モータ，半導体モータなど、任意のモータを用いることができる。
【００３５】
上記構成において、各リール１０毎にモータ４０を駆動させると、モータ４０の回転駆動力は駆動歯車３１ａ，３１ｂに伝達され、さらに駆動歯車３１ａ，３１ｂに噛み合ったリール１０の各歯車部１７ａ，１７ｂに伝達される。これによりリール１０は、一方の歯車部１７ａが駆動歯車３１ａおよび３個の従動歯車３２ａ，３３ａ，３４ａに、他方の歯車部１７ｂが駆動歯車３１ｂおよび３個の従動歯車３２ｂ，３３ｂ，３４ｂに、安定して支持された状態で回転する。
【００３６】
なお前記駆動歯車３１ａ，３１ｂとリール１０の各歯車部１７ａ，１７ｂとのギヤ比は、任意に設定可能であり、ギヤ比を大きな値に設定すれば、リールの低速化が可能である。
【００３７】
なお上記実施例では、各リール１０の両側に形成した歯車部１７ａ，１７ｂにそれぞれ４個（合計８個）の歯車を噛み合わせてリール１０を支持しているが、歯車の個数は両側それぞれ３個（合計６個）であってもよく、また５個以上（合計１０個以上）であってもよい。さらにリール１０の一側に同様の歯車部を、他側の方には筒状のガイド部を、それぞれ形成して、歯車部の方は１個の駆動歯車と少なくとも２個の従動歯車で支持し、ガイド部の方は、少なくとも３個のローラで支持するようにしてもよい。また上記構成のリールユニット５０に代えて、リールの中心部をステッピングモータに連結させる従来型のリールユニットを導入してもよい。
【００３８】
前記本体部１Ａの内部には、リールユニット５０を支持するための支持板２８および天板２９が配備されており、リールユニット５０は、ユニット送り機構７０および上下のガイド機構６７ａ，６７ｂにより、支持板２８上に往復動可能に支持される。
【００３９】
前記ユニット送り機構７０は、図３〜６に示すように、支持板２８上に前記各シンボル表示窓５の並び方向に沿って配備される一対のローラ７３，７４，両ローラ７３，７４間に張設される無端ベルト７５，一方のローラ７４に連結されるステッピングモータ７６，リールユニット５０のベース底面とベルト７５の上面とを連結する一対の連結部材７７，７７より成るもので、各ローラ７３，７４は、前記枠体２１の横幅方向に対し、左右両方向にそれぞれ１リール分の幅長さよりも離れた位置に配備される。
【００４０】
下部のガイド機構６７ａは、前記ユニット送り機構７０を挟んでリールユニット５０の始端部および後端部が通過する位置に一対のガイドレール６１，６１を配設するとともに、ベース２２底面の各ガイドレール６１，６１への対応位置にそれぞれ軸支部材６４，６４を介してローラ６３，６３を取り付けて構成される。
【００４１】
同様に上部のガイド機構６７ｂは、天板２９の下面においてリールユニット５０の始端部および後端部が通過する位置に、一対のガイドレール６２，６２を配設するとともに、可動フレーム２３の上面の各ガイドレール６２，６２に対応する位置に、それぞれ軸支部材６６，６６を介してローラ６５，６５を取り付けて構成される。
【００４２】
前記連結部材７７，７７によりリールユニット５０の枠体２１を前記無端ベルト７５の上面部に連結するとともに、ベース２２側の前記４対のローラ６３〜６３をガイドレール６１，６１に、また可動フレーム２３側の４対のローラ６５〜６５をガイドレールの６２，６２に、それぞれ嵌め込むことにより、リールユニット５０は、支持板２８上に、各リール１０の並び方向に沿って往復動可能に支持される。
【００４３】
さらに前記ベース２２底面の右後方位置には、フォトセンサ７８が配備されている。また前記支持板２８上のフォトセンサ７８の通過経路上には、右端のシンボル表示窓５に対応する位置およびこの位置よりもさらに１リールの幅分だけ外側の２箇所に、それぞれ遮光板７９Ａ，７９Ｂが配備されている。これらフォトセンサ７８，遮光板７９Ａ，７９Ｂは、リールユニット５０の移動規制位置を検出するための位置検出部７２をなすもので、図示しない制御部は、ステッピングモータ７６が回転している状態でフォトセンサ７８の光検知状態がオン，オフ，オンの順で変化したとき、ステッピングモータ７６に停止信号を出力する。
【００４４】
なおこの位置検出部７２は、光学的検知器を用いるものに限らず、リミットスイッチのような機械的な検知器やリードスイッチのような磁気的検知器を用いてもよい。また前記ユニット送り機構７０も、ローラや無端ベルトを使用するものに限らず、クランク運動を利用するもの、あるいはラックとピニオンを用いたものなど、様々な構成を導入できる。
【００４５】
上記構成において、シンボル表示部６Ａに対し、リールユニット５０を、４個のリール１０のうち左端または右端のいずれかのリール１０が前面パネル６の枠外に位置する状態で配置させ、ゲームを開始する。遊戯盤面に打ち出されたパチンコ玉が玉通過孔９を通過すると、制御部より各モータ４０に、一定時間の間、駆動パルスが供給される。これにより各リール１０が一斉に始動して、所定時間経過後に停止すると、各シンボル表示窓５には、それぞれその窓位置に対応するリール１０上のいずれかのシンボル１５が出現する。
【００４６】
このときシンボル表示部６Ａに成立したシンボルの組合せや制御部内部で行われる抽選などが所定の条件を満たしていれば、制御部は、前記ユニット送り機構７０のステッピングモータ７６を駆動して、前記位置検出部７２により移動規制位置が検知されるまで駆動パルスを供給する。これによりリールユニット５０は各リールの並び方向に沿って左方向（図中ａで示す）または右方向（図中ｂで示す）に移動し、移動方向の最先端にあるリールが前面パネル６の枠外に移動するとともに、その反対側に位置していた第４のリールのシンボルが窓枠内に出現する。
【００４７】
図８は、上記表示制御の一例を示す。図８（１）は各リール１０が一斉に始動して停止した直後の状態であって、シンボル表示部６Ａには、特別入賞の開始条件となるシンボル「７」の組合せが成立している。
【００４８】
図８（２）は、図８（１）の状態からリールユニット５０を右方向に移動させた状態を示すもので、右端のリールが窓外に移動するのにともない、これまで枠外にあった左端のリール１０が窓内に移動し、前記「７」のシンボルの組合せが解消されている。
【００４９】
なお上記図８とは反対に、各リール停止時にシンボル「７」の組合せがリール表示部６Ａから位置ずれして成立しているとき、リールユニット５０を移動させてシンボル「７」の組合せを出現するように構成してもよい。
【００５０】
また各リール１０は、必ずしも横並びに配備する必要はなく、図９（１）（２）に示すように、シンボル表示窓５を縦並びに形成するとともに、前記リールユニット５０を縦向きに配置し、各リール１０を上下方向に往復動するように構成しても良い。
【００５１】
またシンボル表示窓５に表示させるシンボルは１個に限らず、各リール１０についてそれぞれ複数個のシンボルを表示するようにしてもよい。
図１０は、シンボル表示窓５を、３個のリール１０のそれぞれ３個のシンボルが出現する大きさに構成した例を示すもので、前面パネル６のカバー体には、各シンボルの並び方向に沿って、上，中, 下，斜めの５本の停止ラインＬ1 〜Ｌ5 が描かれている。
【００５２】
図１０（１）は、各リール１０の停止直後の状態を示すもので、停止ラインＬ4 より左側へ一駒分だけ位置ずれしたライン上に当たりのシンボル「７」の組合せが成立している。図１０（２）は、図１０（１）の状態からリールユニット５０を右側へ移動させた結果を示すもので、位置ずれしていたシンボル「７」の組合せが停止ラインＬ4 上に移動している。
【００５３】
このようにシンボル表示部６Ａの枠を越える数のリール１０を配備して回転させるとともに、各リール１０をリール１０の並び方向に沿って往復動させることにより、一旦成立したシンボルの組合せが変化して、当たりのシンボル組合せがキャンセルされたり、はずれのシンボル組合せから当たりのシンボル組合せに変動する「敗者復活ゲーム」が行われるなど、多様なシンボル表示を行うことができる。
【００５４】
なお上記実施例では、複数のリール１０を収容したリールユニット５０を往復動させることにより、各リール１０を一体に往復動させているが、これに限らず、各リールをそれぞれ個別の枠体に収容して独立した複数のリールユニットを構成するとともに、各ユニット毎にユニット送り機構７０を配備して、各リール１０を個別に往復動させても良い。
【００５５】
図１１は、各リール１０を個別に往復動させる場合のシンボル表示制御の一例であって、前記図８の例と同様、４個のリール１０のうち３個をそれぞれシンボル表示窓５に対応させてある（図１１（１））。この状態で各リール１０が停止したとき、各リール１０を、枠外のリール１０とは反対側（図示例では右側）にあるリール１０から順次移動させる（図１１（２）（３））。これによりシンボル表示部６Ａのシンボル組合せが段階を経て変動するので、遊戯者は、最終的なシンボル組合せ結果に、より大きな期待を抱くようになる。
【００５６】
さらにこの発明は、機械的なリール１０を組み込んだシンボル表示装置ばかりでなく、複数種のシンボルを電気的に可変表示するタイプのシンボル表示装置にも適用できる。
【００５７】
図１２は、上記シンボル表示装置の構成例を示すもので、上下２枚のフレーム８２，８３の間に４個のシンボル表示板８０を嵌め込んでシンボル表示ユニット８１を構成し、このシンボル表示ユニット８１をユニット送り機構７０により支持板２８上に往復動可能に支持している。なおユニット送り機構７０は、前記図２〜６に示したのと同様の構成のもので、ここでは各機構に前記と同一の符号を付すことにより詳細な説明を省略する。
【００５８】
各シンボル表示板８０は、例えば多数の発光ダイオードをマトリクス状に配列したドット表示板や液晶表示器などにより構成される。このような平板の表示器を用いた場合、前記第１の実施例のような枠体２１内に収容する必要がないので、機体内の設置スペースを小さくできる。またリール１０に代えてシンボル表示板８０を使用することにより、シンボルをより高速で可変表示することができる。
【００５９】
この実施例においても、シンボル表示部６Ａに対し、４個のシンボル表示板８０のうち左端または右端のいずれかのシンボル表示板８０が前面パネル６の枠外に位置する状態で配置させて、ゲームを開始し、パチンコ玉が玉通過孔９を通過したときに各シンボル表示板８０を一斉に可変表示させる。この後、各シンボル表示板８０の可変表示が終了したときに、所定の条件が成立していれば、シンボル表示ユニット８１を左右いずれかの方向に移動させて、成立していたシンボル組合せを他の組合せに変更する制御が行われる。
【００６０】
図１３は、上記構成によるシンボル表示制御の一例を示すもので、前記シンボル表示ユニット８１は、前記図８のリールユニットと同様、左端のシンボル表示体８０が前面パネル６の枠外に位置する状態で配置されている（図１３（１））。各シンボル表示板８０の可変表示が終了したときに、所定の条件が成立していれば、シンボル表示ユニット８１は右方向に移動し、シンボルの組合せが変動する。
【００６１】
なお前記シンボル表示ユニット８１に組み込むシンボル表示板は、必ずしも複数枚である必要はなく、図１４（１）（２）に示すように、複数のシンボルを可変表示する一体型のシンボル表示板９０を、各シンボル表示窓５に対応させて配備しても良い。
【００６２】
図１５は、シンボル表示装置の他の構成例を示すもので、２個のリール１０を具備するリールユニット５０をユニット送り機構７０により往復動可能に支持するとともに、各リール１０の内部空間に、複数個（ここでは３個）のシンボルを可変表示するシンボル表示ユニット８１（前記一体型のシンボル表示板９０を用いたもの）を、固定配備してある。
【００６３】
図１６は、上記図１５のシンボル表示装置における表示制御の一例を示す。
前記シンボル表示ユニット８１は、各シンボルの表示位置を各シンボル表示窓５の位置に対応させて配備されており、ゲーム開始時には、前記リールユニット５０は、左端および中央のシンボル表示位置を覆うように位置決めされる。この状態でパチンコ玉がパチンコ通過孔９を通過すると、各リール１０が一斉に始動するとともにシンボル表示板９０の各シンボルの可変表示が開始される。
【００６４】
所定時間経過後に、リールの回転、シンボル表示板９０の可変表示がともに終了して、図１６（１）に示すようにシンボル位置を移動させる条件が成立すると、リールユニット５０は右側に移動し、各リール１０は、シンボル表示ユニット８１の右端および中央のシンボル表示位置の前方位置に停止する。これにより図１６（２）に示すように、可変表示の終了直後には隠れていたシンボル表示板９０の左端のシンボルがシンボル表示窓５内に出現し、このシンボルと各リール１０のシンボルとによる新たなシンボル組合せが出現する。
【００６５】
図１７は、シンボル表示装置の他の構成例を示すもので、３個のリール１０を有するリールユニット５０を、各リール１０をシンボル表示窓５に対応させて固定配置するとともに、２枚のシンボル表示板８０から成るシンボル表示ユニット８１を各リール１０の前方に往復動可能に配備してある。
【００６６】
図１８は、上記構成におけるシンボルの表示制御の一例を示すもので、初期状態では、シンボル表示ユニット８１は、右側のシンボル表示板８０が左端のリール１０の前方に位置するように配備されている。この状態でパチンコ玉がパチンコ通過孔９を通過すると、各リール１０が一斉に始動するとともに各シンボル表示板８０の可変表示が開始される。
【００６７】
所定時間経過後に、リール１０、シンボル表示板８０の可変表示がともに終了したとき、図１８（１）に示すようにシンボル位置を移動させる条件が成立すると、シンボル表示ユニット８１は右方向に移動し、左側のシンボル表示板８０が右端のリール１０の前方に来た時点で停止する。これにより図１８（２）に示すように、可変表示終了直後には隠されていた左端のリール１０のシンボル、および左側のシンボル表示板８０のシンボルがともに表示窓５内に出現して、新たなシンボルの組合せが成立する。
【００６８】
なお上記図１５の構成において、リールユニット５０をリール１０毎の個別のユニットに構成し、各ユニット毎にユニット送り機構７０を配備すれば、図１９（１）（２）に示すように、各リール１０毎に、シンボル表示ユニット８１の前方位置まで個別に移動させることが可能となる。
【００６９】
このようにリール１０と、シンボル表示板８０，９０という２種類のシンボル表示体を組み合わせてシンボルを表示するとともに、いずれか一方のシンボル表示体をシンボルの並び方向に沿って移動させることにより、シンボル表示窓５内に表示されていたシンボルに向かって別のシンボルが移動し、いずれかの窓内のシンボルに重ね合わされるようなシンボル表示制御を行うことができ、シンボル表示に対する遊戯者の関心を大いに高めることができる。なお図１５，１７の構成には、必ずしもリールユニット５０は必要ではなく、２種類のシンボル表示ユニットの組合せにより同様の表示制御を行うことも可能である。
【００７０】
またここに示した各表示制御例は、あくまでも代表的な制御例であって、いずれの実施例においても、あらかじめ複数の停止位置を定めておき、この中から任意の停止位置を選択してシンボル表示体を停止させるように設定できる。
【００７１】
また上記いずれの表示制御例においても、シンボルの可変表示が終了した後にシンボル表示体を移動すると説明したが、これに限らず、シンボル表示体を移動させた後に再び可変表示を行ったり、可変表示を継続しながら移動制御を行うなど、従来の可変表示と移動制御との組合せにより多様なシンボル表示制御を実施できる。
【００７２】
さらに上記の各実施例では、リールユニットやシンボル表示ユニットを機械的な機構により往復動させるように構成したが、これに代えて、機体前面に複数列のシンボルの表示が可能な大きさのシンボル表示窓を形成するとともに、このシンボル表示窓の内側に窓枠に応じた大きさの表示板を固定配備し、その表示画面上に、複数のリールの画像が一体または個別に往復動する画像を表示するようにしてもよい。この場合、動画プログラムを変更することにより、表示するシンボルやシンボル可変表示器の位置や大きさを自由に変更できるので、より自由度の大きなシンボル表示を行うことができる。またシンボル可変表示器の画像の移動に伴い、移動前の表示位置に他のシンボル表示器やキャラクターなどの画像を出現させるように構成することにより、一層表現力に富んだシンボル表示を行うことが可能となる。
【００７３】
【発明の効果】
この発明は上記の如く、シンボル表示窓の背後で、複数のシンボル表示体をその整列方向に沿って往復動させて、窓枠内に出現していたシンボルを枠外に移動させ、表示されていなかったシンボルを枠内に移動させるので、遊戯者が意外に感じるような多様なシンボル表示が得られ、遊戯者のシンボル表示に対する関心を大いに高めることができる。
【００７４】
請求項２〜４の発明では、各シンボル表示体をリールにより構成するので、各リールの回転と往復動とを組み合わせて、多様なシンボル表示を行うことができる。
【００７５】
請求項５，６の発明では、各シンボル表示体をシンボルを可変表示する表示板により構成するので、シンボル表示体の前後のスペースを小さくして装置をコンパクト化できる上、シンボルを高速で可変表示することができる。
【００７６】
請求項７の発明では、各シンボル表示体を、シンボル表示窓の背後に配備された表示板上に表示されるシンボル可変表示器の画像により構成するので、表示するシンボルの種類やシンボル可変表示器の位置，大きさの自由度が大きくなり、より表現力に富んだシンボル表示を行うことができる。
【００７７】
請求項８の発明では、複数のシンボル表示体が一体に往復動するので、往復動のための機構や制御を簡易化でき、また、請求項９の発明では、複数のシンボル表示体を個別に往復動させるので、シンボルの組合せを段階的に変動させて、多様なゲームを設定することができる。
【００７８】
請求項１０，１１の発明では、リールユニットとシンボル表示ユニットとを組み合わせて複数のシンボル表示体を構成するので、シンボル表示に対する遊戯者の関心を大いに高めることができる。
【図面の簡単な説明】
【図１】この発明のシンボル表示装置が適用されたパチンコ機の外観を示す正面図である。
【図２】シンボル表示装置の概略構成を示す斜視図である。
【図３】図２のシンボル表示装置を一部破断して示す正面図である。
【図４】図２のシンボル表示装置の構成を示す平面図である。
【図５】図２のシンボル表示装置の構成を示す左側面図である。
【図６】図２のシンボル表示装置の構成を示す右側面図である。
【図７】図２のシンボル表示装置に用いられるリールの構成を示す斜視図である。
【図８】シンボル表示制御の一例を示す説明図である。
【図９】シンボル表示制御の一例を示す説明図である。
【図１０】シンボル表示制御の一例を示す説明図である。
【図１１】シンボル表示制御の一例を示す説明図である。
【図１２】第２の実施例にかかるシンボル表示装置の一部を破断した正面図である。
【図１３】図１２のシンボル制御装置におけるシンボル表示制御の一例を示す説明図である。
【図１４】一体化されたシンボル表示板を用いた場合のシンボル表示制御の一例を示す説明図である。
【図１５】シンボル表示装置の他の構成を示す斜視図である。
【図１６】図１５のシンボル制御装置におけるシンボル表示制御の一例を示す説明図である。
【図１７】シンボル表示装置の他の構成を示す斜視図である。
【図１８】図１７のシンボル表示装置におけるシンボル表示制御の一例を示す説明図である。
【図１９】個別に移動可能なシンボル表示板を用いた場合のシンボル表示制御の一例を示す説明図である。
【図２０】従来のリールユニットの概略構成を示す斜視図である。
【符号の説明】
５    シンボル表示窓
６Ａ  シンボル表示部
１０  リール
５０  リールユニット
７０  ユニット送り機構
８０  シンボル表示板
８１  シンボル表示ユニット
【図１】
0003746874.tif 000002
【図２】
0003746874.tif 000003
【図３】
0003746874.tif 000004
【図４】
0003746874.tif 000005
【図５】
0003746874.tif 000006
【図６】
0003746874.tif 000007
【図７】
0003746874.tif 000008
【図８】
0003746874.tif 000009
【図９】
0003746874.tif 000010
【図１０】
0003746874.tif 000011
【図１１】
0003746874.tif 000012
【図１２】
0003746874.tif 000013
【図１３】
0003746874.tif 000014
【図１４】
0003746874.tif 000015
【図１５】
0003746874.tif 000016
【図１６】
0003746874.tif 000017
【図１７】
0003746874.tif 000018
【図１８】
0003746874.tif 000019
【図１９】
0003746874.tif 000020
【図２０】
0003746874.tif 000021